(57)【要約】      （修正有）【課題】吐水量にハンチング発生を防止できるサーモ型湯水混合水栓。【解決手段】サーモエレメント２により湯弁座４と水弁座５との隙間を調整する弁体１を設け、この弁体の下流に混合室６を設けてあるサーモ型湯水混合水栓において、水のみを吐出していた状態から湯のみを吐出する状態に前記温調ハンドル９を操作したと時、スプリングＳによる弁体への付勢力を緩和し、それによって、湯、水を同時に混合室に流しうる弾性部材２０を設けている。【選択図】図１
2005220951.tif 000002
【特許請求の範囲】
【請求項１】
水栓本体の内部に、湯水の温度をサーモエレメントが感温するとサーモワックスが膨張または収縮してピストンが伸びまたは縮むことで、前記サーモエレメントと共に変位し、湯弁座との隙間ならびに水弁座との隙間を調整するよう弁体を設け、この弁体の下流に混合室を設け、水栓本体の長手方向にスライドするスライド手段が収容された固定ハウジングを水栓本体の一方端に設け、更に、水のみを吐出するよう操作されるときは前記ピストンの先端が前記スライド手段に当接した状態で当該当接位置が温調ハンドルから最も遠くになるよう前記スライド手段をスライドさせ、湯のみを吐出するよう操作されるときは前記当接位置が前記温調ハンドルから最も近くになるよう前記スライド手段をスライドさせる前記温調ハンドルを前記固定ハウジングの水栓本体とは反対の側に設ける一方、水のみを吐出する状態から混合水を吐出する状態に前記温調ハンドルを操作したときに、前記スライド手段とピストン先端間が離間することにより形成される隙間を狭めて湯弁座と弁体との隙間を開けるよう弁体をスライド手段側に付勢するスプリングを設けてあるサーモ型湯水混合水栓において、水のみを吐出していた状態から湯のみを吐出する状態に前記温調ハンドルを操作したときに、前記スプリングによる弁体への付勢力を緩和し、それによって、湯、水を同時に混合室に流しうる弾性部材を設けたことを特徴とするサーモ型湯水混合水栓。
【請求項２】
前記弾性部材は、前記サーモエレメントと前記スライド手段との間に介装されるスプリングである請求項１に記載のサーモ型湯水混合水栓。
【請求項３】
前記弾性部材は、前記弁体と水弁座部材との間に介装されるスプリングである請求項１に記載のサーモ型湯水混合水栓。
【請求項４】
水栓本体の内部に、湯水の温度をサーモエレメントが感温するとサーモワックスが膨張または収縮してピストンが伸びまたは縮むことで、前記サーモエレメントと共に変位し、湯弁座との隙間ならびに水弁座との隙間を調整するよう弁体を設け、この弁体の下流に混合室を設け、水栓本体の長手方向にスライドするスライド手段が収容された固定ハウジングを水栓本体の一方端に設け、更に、水のみを吐出するよう操作されるときは前記ピストンの先端が前記スライド手段に当接した状態で当該当接位置が温調ハンドルから最も遠くになるよう前記スライド手段をスライドさせ、湯のみを吐出するよう操作されるときは前記当接位置が前記温調ハンドルから最も近くになるよう前記スライド手段をスライドさせる前記温調ハンドルを前記固定ハウジングの水栓本体とは反対の側に設ける一方、水のみを吐出する状態から混合水を吐出する状態に前記温調ハンドルを操作したときに、前記スライド手段とピストン先端間が離間することにより形成される隙間を狭めて湯弁座と弁体との隙間を開けるよう弁体をスライド手段側に付勢するスプリングを設けてあるサーモ型湯水混合水栓において、水のみを吐出していた状態から湯のみを吐出する状態に前記温調ハンドルを操作したときに、湯の温度を前記サーモエレメントが感温して前記ピストンが伸び、更に、前記ピストンが前記スライド手段を押圧する力を緩和し、それによって、湯、水を同時に混合室に流しうる弾性部材を設けたことを特徴とするサーモ型湯水混合水栓。
【請求項５】
前記弾性部材は、前記固定ハウジングの温調ハンドル側における内端面と、前記スライド手段との間に介装される曲げワッシャである請求項４に記載のサーモ型湯水混合水栓。
【発明の詳細な説明】
【技術分野】
【０００１】
この発明は、サーモ型湯水混合水栓に関するものである。
【背景技術】
【０００２】
本出願人は、自動温調機能を有するサーモ型湯水混合水栓として図４、図５に示すものを提案している（特願２００２−３２８２０８号、ただし、いわゆる公知公用ではない。）。図４、図５において、１は弁体で、筒状の水栓本体Ａの内部に設置される筒状の温調ハウジングＶ内に位置する。２は、サーモワックス２ａとピストン３を有するサーモエレメント２で、サーモエレメント２の外筒２ｂに弁体１がねじにより取り付けられている。弁体１は、湯水の温度をサーモエレメント２が感温するとサーモワックス２ａが膨張または収縮してピストン３が伸びまたは縮むことで、サーモエレメント２と共に水栓本体Ａの長手方向に変位し、湯弁座４との隙間ならびに水弁座５との隙間を調整する。前記弁体１の下流には前記各隙間を通った湯、水が混合する混合室６が設けられている。また、水栓本体Ａの一方端には、前記長手方向にスライドするスライド手段７が収容された固定ハウジング８が設けられている。そして、水のみを吐出するよう操作されるときは、図６（Ａ）に示すように、前記ピストン３の先端３ａが前記スライド手段７に当接した状態で当接位置Ｐ1 が温調ハンドル９から前記長手方向において最も遠くになるよう前記スライド手段７をスライドさせ、湯のみを吐出するよう操作されるときは図６（Ｇ）に示すように、ピストン先端３ａとスライド手段７の当接位置Ｐ2 が前記温調ハンドル９から前記長手方向において最も近くになるよう前記スライド手段７をスライドさせる前記温調ハンドル９を前記固定ハウジング８の水栓本体Ａとは反対の側に設けられている。また、水のみを吐出する状態から混合水を吐出する状態に温調ハンドル９を操作したときに、前記スライド手段７がピストン先端から温調ハンドル９側に離れる方向にスライドすることにより形成される隙間Ｓ1 ，Ｓ2 〔図６（Ｂ）、図６（Ｃ）参照〕を狭める方向に、かつ、湯弁座４と弁体１との隙間を広げる方向に弁体１をスライド手段７側に付勢するスプリングＳを設けてある。
【０００３】
なお、前記スライドガイド手段７は、温調ハンドル９を前記長手方向まわりに回動させることによって前記長手方向に沿って直線的に進退移動できるよう構成されており、ピストン３側に向き、ピストン先端３ａが当接可能な底面を持つ凹所１１が形成されたプレート部材７ａと、温調ハンドル９の栓棒９ａに接続されたスクリュ棒１２が噛合するスクリュ棒受け部材７ｂと、両部材７ａ，７ｂ間に介装されるバネ７ｃと、このバネ７ｃを介して両部材７ａ，７ｂを結合する結合線材７ｄとを備えている。５０は、スクリュ棒１２の所定位置に設けた環状の鍔で、固定ハウジング８の温調ハンドル側における内端面８ａに鍔５０の一方面の外周面部５０ａが鍔５０の中心軸まわりに摺動可能に当接している。
【発明の開示】
【発明が解決しようとする課題】
【０００４】
しかし、湯弁座４と弁体１との隙間を流れる湯の給湯圧力と、水弁座５と弁体１との隙間を流れる水の給水圧力に差がある場合には、例えば給湯圧力が異常に大きくなった場合には、水のみを吐出する状態から所定温度（例えば４０℃）の混合水を吐出する状態に温調ハンドル９を操作した〔図６（Ｂ）参照〕ときに、ピストン３が４０℃の混合水が吐出する図６（Ｈ）に示すような状態に伸びきる前に弁体１がスプリングＳの付勢力によって水弁座５と弁体１との隙間を狭め、かつ、湯弁座４と弁体１との隙間を広くする方向にスライドすることになる。そのため、瞬時ではあるが熱湯が吐水管から吐水する。そして、図６（Ｈ）に示すような所定温度（例えば４０℃）の混合水が吐出するまでに、図６（Ｃ）に示すように、熱い湯のみが吐水し、熱いため、図６（Ｄ）に示すように、ピストン３が一気に伸びてピストン先端３ａがスライド手段７に当接しながら湯弁座４と弁体１との隙間を狭めるよう弁体１がスライドして水のみが流れ、水のみで冷たいため、図６（Ｅ）に示すように、ピストン３が縮んでピストン先端３ａがスライド手段７から離れるとともに、図６（Ｆ）に示すように、弁体１がスプリングＳの付勢力によって水弁座５と弁体１との隙間を狭め、かつ、湯弁座４と弁体１との隙間を広くする方向にスライドし、熱いためピストン３が伸びてピストン先端３ａがスライド手段７に当接し、弁体１は、図６（Ｈ）に示すような最終位置に落ちつくことになる。このように、弁体１が前記各隙間を交互に閉めて熱い湯のみが吐水したり、水のみが吐水したり、再度、熱い湯のみが吐水したりする事態になり、吐水量にハンチングが発生する。
【０００５】
この発明は、上述の事柄に留意してなされたもので、その目的は、吐水量にハンチングが発生するのを防止できるサーモ型湯水混合水栓を提供することである。
【課題を解決するための手段】
【０００６】
上記目的を達成するために、この発明のサーモ型湯水混合水栓は、水栓本体の内部に、湯水の温度をサーモエレメントが感温するとサーモワックスが膨張または収縮してピストンが伸びまたは縮むことで、前記サーモエレメントと共に変位し、湯弁座との隙間ならびに水弁座との隙間を調整するよう弁体を設け、この弁体の下流に混合室を設け、水栓本体の長手方向にスライドするスライド手段が収容された固定ハウジングを水栓本体の一方端に設け、更に、水のみを吐出するよう操作されるときは前記ピストンの先端が前記スライド手段に当接した状態で当該当接位置が温調ハンドルから最も遠くになるよう前記スライド手段をスライドさせ、湯のみを吐出するよう操作されるときは前記当接位置が前記温調ハンドルから最も近くになるよう前記スライド手段をスライドさせる前記温調ハンドルを前記固定ハウジングの水栓本体とは反対の側に設ける一方、水のみを吐出する状態から混合水を吐出する状態に前記温調ハンドルを操作したときに、前記スライド手段とピストン先端間が離間することにより形成される隙間を狭めて湯弁座と弁体との隙間を開けるよう弁体をスライド手段側に付勢するスプリングを設けてあるサーモ型湯水混合水栓において、水のみを吐出していた状態から湯のみを吐出する状態に前記温調ハンドルを操作したときに、前記スプリングによる弁体への付勢力を緩和し、それによって、湯、水を同時に混合室に流しうる弾性部材を設けたことを特徴とする。
【０００７】
また、この発明は別の観点から、水栓本体の内部に、湯水の温度をサーモエレメントが感温するとサーモワックスが膨張または収縮してピストンが伸びまたは縮むことで、前記サーモエレメントと共に変位し、湯弁座との隙間ならびに水弁座との隙間を調整するよう弁体を設け、この弁体の下流に混合室を設け、水栓本体の長手方向にスライドするスライド手段が収容された固定ハウジングを水栓本体の一方端に設け、更に、水のみを吐出するよう操作されるときは前記ピストンの先端が前記スライド手段に当接した状態で当該当接位置が温調ハンドルから最も遠くになるよう前記スライド手段をスライドさせ、湯のみを吐出するよう操作されるときは前記当接位置が前記温調ハンドルから最も近くになるよう前記スライド手段をスライドさせる前記温調ハンドルを前記固定ハウジングの水栓本体とは反対の側に設ける一方、水のみを吐出する状態から混合水を吐出する状態に前記温調ハンドルを操作したときに、前記スライド手段とピストン先端間が離間することにより形成される隙間を狭めて湯弁座と弁体との隙間を開けるよう弁体をスライド手段側に付勢するスプリングを設けてあるサーモ型湯水混合水栓において、水のみを吐出していた状態から湯のみを吐出する状態に前記温調ハンドルを操作したときに、湯の温度を前記サーモエレメントが感温して前記ピストンが伸び、更に、前記ピストンが前記スライド手段を押圧する力を緩和し、それによって、湯、水を同時に混合室に流しうる弾性部材を設けたことを特徴とするサーモ型湯水混合水栓を提供する。
【発明の効果】
【０００８】
この発明では、水のみを吐出していた状態から湯のみを吐出する状態に温調ハンドルを操作したときに、湯弁座と弁体との隙間を開けるよう弁体をスライド手段側に付勢するスプリングによる弁体への付勢力を緩和する弾性部材を設けたので、例えば給湯圧力が異常に大きくなった場合、例えば図６（Ｂ）の状態から図６（Ｃ）の状態になるのを回避できる。すなわち、水のみを吐出する状態から混合水を吐出する状態に温調ハンドルを操作したときに、前記スライド手段がピストン先端から離れるとともに、先願発明では、前記スプリングの付勢力でサーモエレメントと共に弁体が湯弁座と弁体との隙間を広げる方向に一気に変位して熱い湯のみが吐出していたが、この発明では、弁体およびサーモエレメントが湯弁座と弁体との隙間を広げる方向へ変位するのを前記弾性部材が緩和するので、吐水量にハンチングが発生するのを防止できる。つまり、この発明では、ピストンが伸びきる前にスプリングの付勢力によって水弁座と弁体との隙間が一気に閉じられる事態を阻止でき、緩和期間中に、湯弁座と弁体の隙間からの湯と水弁座と弁体の隙間からの水が同時に混合室に流入することになるとともに、先願発明では、混合水の温度をサーモエレメントが感温してピストン先端がスライド手段に当接するまでピストンが伸びきるので、瞬時ではあるが熱湯が吐水管から吐水するといった事態が生ずるが、この発明では、このような事態を回避しながら、図６（Ｈ）に示すような所定温度（例えば４０℃）の混合水が吐出する状態に落ちつくことになる。
【０００９】
また、この発明では、水のみを吐出していた状態から湯のみを吐出する状態に温調ハンドルを操作したときに、湯の温度を前記サーモエレメントが感温して前記ピストンが伸び、更に、前記ピストンが前記スライド手段を押圧する力を緩和する弾性部材を設けたので、例えば給湯圧力が異常に大きくなった場合、例えば図６（Ｃ）の状態から図６（Ｄ）の状態になるのを回避できる。すなわち、水のみを吐出する状態から混合水を吐出する状態に温調ハンドルを操作したときに、前記スライド手段がピストン先端から離れる〔図６（Ｂ）参照〕とともに、前記スプリングの付勢力でサーモエレメントと共に弁体が湯弁座と弁体との隙間を広げる方向に変位して〔図６（Ｃ）参照〕熱い湯のみが吐出する。また、先願発明では、この熱い湯の温度をサーモエレメントが感温して前記ピストンが前記スライド手段を押圧しながら伸びきるよう前記ピストンが一気に伸びる〔図６（Ｄ）参照〕ため、弁体が湯弁座と弁体との隙間を閉じて水弁座と弁体との隙間を開く方向に変位して水のみが流れるが、この発明では、前記弾性部材が、湯の温度をサーモエレメントが感温して前記ピストンが伸び、更に、前記ピストンが前記スライド手段を押圧する力を緩和するので、熱い湯のみが吐出した後においては吐水量にハンチングが生じ難いようにできる。つまり、この発明では、前記弾性部材によって湯弁座と弁体との隙間のみが開いてる状態から弁体は徐々に湯弁座と弁体との隙間を閉じていくので、水弁座と弁体との隙間が一気に開き、湯弁座と弁体との隙間を一気に閉じる事態を阻止でき、緩和期間中に、湯弁座と弁体の隙間からの湯と水弁座と弁体の隙間からの水が同時に混合室に流入することになるとともに、先願発明では、混合水の温度をサーモエレメントが感温してピストン先端がスライド手段に当接しながらピストンが伸びきるので、瞬時ではあるが湯弁座と弁体の隙間が閉じられるといった事態が生じるが、この発明では、このような事態を回避しながら、図６（Ｈ）に示すような所定温度（例えば４０℃）の混合水が吐出する状態に落ちつくことになる。
【発明を実施するための最良の形態】
【００１０】
以下、この発明の実施形態を、図を参照しながら説明する。なお、それによってこの発明は限定されるものではない。
【００１１】
図１は、サーモエレメントとスライド手段との間に弾性部材（例えばスプリング）を介装したこの発明の一実施形態を示す。また、図４、図５に示した従来例と異なる点は前記弾性部材を設けた点だけであるので、図４、図５に示した符号をそのまま図１にも用いるとともに、それらの説明を省略する。
【００１２】
図１において、２０は、スライドガイド手段７のプレート部材７ａに形成されている凹所１１の底面Ｂとサーモエレメント２との間に介装した弾性部材（例えばスプリング）である。サーモエレメント２は、外筒２ｂのスライドガイド手段側の端に外筒２ｂの中心軸Ｘと同軸に設けた鍔状のワッシャ２１を有し、外筒２ｂの前記端の側からプレート部材７ａの側に突出するピストン３の所定位置にピストン３が最も縮んだときにワッシャ２１に当接する止めリング２２を有する。そして、前記弾性部材２０は、プレート部材７ａの凹所１１の底面Ｂとワッシャ２１間に設けられている。２３は、リング状の湯弁座４が形成された筒状の湯弁座部材、２４は、リング状の水弁座５が形成された筒状の水弁座部材である。弁体１に対してスライドガイド手段側に前記水弁座５が弁体１の一方側に臨む形で水弁座部材２４が配置され、弁体１に対してスライドガイド手段側とは反対の側に前記湯弁座４が弁体１の他方側に臨む形で湯弁座部材２３が配置されている。
【００１３】
而して、水のみを吐出する状態から混合水を吐出する状態に温調ハンドル９を操作したときに、プレート部材７ａの凹所１１の底面Ｂがピストン先端３ａから離れるとともに、先願発明では、スプリングＳの付勢力でサーモエレメント２と共に弁体１が湯弁座４と弁体１との隙間を広げる方向に一気に変位して熱い湯のみが吐出していたが、この実施形態では、弁体１およびサーモエレメント２が湯弁座４と弁体１との隙間を広げる方向へ変位するのを前記弾性部材２０が緩和するので、吐水量にハンチングが発生するのを防止できる。すなわち、ピストン３が伸びきる前にスプリングＳの付勢力によって水弁座５と弁体１との隙間が一気に閉じられる事態を阻止でき、緩和期間中に、湯弁座４と弁体１の隙間からの湯と水弁座４と弁体１の隙間からの水が同時に混合室６に流入することになるとともに、先願発明では、混合水の温度をサーモエレメント２が感温してピストン先端３ａがプレート部材７ａの凹所１１の底面Ｂに当接するまでピストン３が伸びきるので、瞬時ではあるが熱湯が吐水管から吐水するといった事態が発生するが、この実施形態では、これら事態を回避しながら、所定温度（例えば４０℃）の混合水が吐出する状態に落ちつくことになる。
【００１４】
図２は、弁体１と水弁座部材２４との間に弾性部材（例えばスプリング）３０を介装したこの発明の他の実施形態を示す。図２において、図２、図４、図５に示した符号と同一のものは、同一または相当物である。
【００１５】
この場合も、水のみを吐出する状態から混合水を吐出する状態に温調ハンドル９を操作したときに、プレート部材７ａの凹所１１の底面Ｂがピストン先端３ａから離れるとともに、先願発明では、スプリングＳの付勢力でサーモエレメント２と共に弁体１が湯弁座４と弁体１との隙間を広げる方向に一気に変位して熱い湯のみが吐出していたが、この実施形態では、弁体１およびサーモエレメント２が湯弁座４と弁体１との隙間を広げる方向へ変位するのを前記弾性部材３０が緩和するので、吐水量にハンチングが発生するのを防止できる。すなわち、ピストン３が伸びきる前にスプリングＳの付勢力によって水弁座５と弁体１との隙間が一気に閉じられる事態を阻止でき、緩和期間中に、湯弁座４と弁体１の隙間からの湯と水弁座４と弁体１の隙間からの水が同時に混合室６に流入することになるとともに、先願発明では、混合水の温度をサーモエレメント２が感温してピストン先端３ａがプレート部材７ａの凹所１１の底面Ｂに当接するまでピストン３が伸びきるので、瞬時ではあるが熱湯が吐水管から吐水するといった事態が発生するが、この実施形態では、これら事態を回避しながら、所定温度（例えば４０℃）の混合水が吐出する状態に落ちつくことになる。
【００１６】
図３は、水のみを吐出していた状態から湯のみを吐出する状態に温調ハンドル９を操作したときに、湯の温度をサーモエレメント２が感温してピストン３が伸び、更に、このピストン３がプレート部材７ａの凹所１１の底面Ｂを押圧する力を緩和する弾性部材３３を設けたこの発明の更に他の実施形態を示す。図３において、図２、図３、図４、図５に示した符号と同一のものは、同一または相当物である。
【００１７】
前記弾性部材３３は、環状の金属製部材をひねって形成した弾性を有する曲げワッシャであり、固定ハウジング８の温調ハンドル側における内端面８ａと、スライド手段７との間に介装されている。すなわち、スクリュ棒１２の所定位置に設けた環状の鍔５０の一方面の外周面部５０ａと、固定ハウジング８の温調ハンドル側における内端面８ａとの間に設けられている。
【００１８】
而して、水のみを吐出する状態から混合水を吐出する状態に温調ハンドル９を操作したときに、プレート部材７ａの凹所１１の底面Ｂがピストン先端３ａから離れるとともに、スプリングＳの付勢力でサーモエレメント２と共に弁体１が湯弁座４と弁体１との隙間を広げる方向に変位して熱い湯のみが吐出するとともに、先願発明では、この熱い湯の温度をサーモエレメント２が感温してピストン２がプレート部材７ａの凹所１１の底面Ｂを押圧しながら伸びきるようピストン３が一気に伸びるため、弁体１が湯弁座４と弁体１との隙間を閉じて水弁座５と弁体１との隙間を開く方向に変位して水のみが流れるが、この実施形態では、前記弾性部材３３が、湯の温度をサーモエレメント２が感温してピストン３が伸び、更に、ピストン３がプレート部材７ａの凹所１１の底面Ｂを押圧しながら伸びきる伸び力を緩和するので、熱い湯のみが吐出した後においては吐水量にハンチングが生じ難いようにできる。つまり、弾性部材３３によって湯弁座４と弁体１との隙間のみが開いてる状態から弁体１は徐々に湯弁座４と弁体１との隙間を閉じていくので、水弁座５と弁体１との隙間が一気に開き、湯弁座４と弁体１との隙間を一気に閉じる事態を阻止でき、緩和期間中に、湯弁座４と弁体１の隙間からの湯と水弁座４と弁体１の隙間からの水が同時に混合室６に流入することになるとともに、先願発明では、混合水の温度をサーモエレメント２が感温してピストン先端３ａがプレート部材７ａの凹所１１の底面Ｂに当接しながらピストン３が伸びきるので、瞬時ではあるが湯弁座４と弁体１の隙間が閉じられるといった事態が発生するが、この実施形態では、このような事態を回避しながら、所定温度（例えば４０℃）の混合水が吐出する状態に落ちつくことになる。
【図面の簡単な説明】
【００１９】
【図１】この発明の一実施形態を示す要部構成説明図である。
【図２】この発明の他の実施形態を示す要部構成説明図である。
【図３】この発明の更に他の実施形態を示す要部構成説明図である。
【図４】先願発明を示す要部構成説明図である。
【図５】上記先願発明における自動温度調節動作を示す図である。
【図６】（Ａ）〜（Ｈ）は、上記先願発明における自動温度調節動作を工程順に示す図である。
【符号の説明】
【００２０】
１          弁体
２          サーモエレメント
２ａ        サーモワックス
３          ピストン
３ａ        ピストン先端
４          湯弁座
５          水弁座
６          混合室
７          スライド手段
８          固定ハウジング
２０        弾性部材
Ａ          水栓本体
Ｐ1 ，Ｐ2   当接位置
Ｓ          スプリング
【図１】
2005220951.tif 000003
【図２】
2005220951.tif 000004
【図３】
2005220951.tif 000005
【図４】
2005220951.tif 000006
【図５】
2005220951.tif 000007
【図６】
2005220951.tif 000008